(57)【要約】【課題】構造が簡単であるにも拘らず、カード飛出し防止機能を従来のもの以上に向上させ、且つ製造が容易であるカード飛出し防止機構を備えるカードコネクタを提供する。【解決手段】カバー部材と、該カバー部材とともにＩＣカードが装着されるカード収容空間を形成するベース部材であって、その底壁から上方に突出する小突起を有するベース部材と、装着されたＩＣカードを取り外すためのカード排出機構を構成し、前記ベース部材上を前後方向に移動可能なイジェクト部材であって、装着されるＩＣカードに設けられた切欠凹部に係合可能な爪部及びカード排出動作終了時に前記小突起を収容する細長い切欠溝を有し、前記カード排出動作終了時に回転可能に形成されているイジェクト部材とを備え、前記小突起と前記切欠溝には、前記イジェクト部材が回転するとき当接する傾斜面がそれぞれに形成されている。【選択図】図４
2007280728.tif 000002
【特許請求の範囲】
【請求項１】
カバー部材と、
該カバー部材とともにＩＣカードが装着されるカード収容空間を形成するベース部材であって、その底壁から上方に突出する小突起を有するベース部材と、
装着されたＩＣカードを取り外すためのカード排出機構を構成し、前記ベース部材上を前後方向に移動可能なイジェクト部材であって、装着されるＩＣカードに設けられた切欠凹部に係合可能な爪部及びカード排出動作終了時に前記小突起を収容する細長い切欠溝を有し、前記カード排出動作終了時に回転可能に形成されているイジェクト部材と、
を備え、
前記小突起と前記切欠溝それぞれに、前記イジェクト部材が回転するとき当接する傾斜面が形成されていることを特徴とするカードコネクタ。
【請求項２】
前記小突起及び前記切欠溝それぞれに形成される前記傾斜面は、水平面に対して３０度から６０度の範囲内にある角度をなしていることを特徴とするカードコネクタ。
【発明の詳細な説明】
【技術分野】
【０００１】
本発明は、カードコネクタに収容されているＩＣカードがカード排出機構（以下、「イジェクト機構」という。）により排出されるとき、カードコネクタからＩＣカードが飛び出すことを防止するカード飛出し防止機構を備えたカードコネクタに関する。
【背景技術】
【０００２】
携帯電話機、デジタルカメラなどの電子機器においては、ＣＰＵあるいはメモリ用のＩＣが内蔵された種々のＩＣカードを装着させることで機能拡張を行うようにしている。このようなＩＣカードを電子機器に着脱自在に装着するために使用されるカードコネクタは、該ＩＣカードのカードコネクタに対する着脱を容易にすべくイジェクト機構を備えている。近年、ＩＣカードが小型化、薄型化することに伴い、イジェクト機構によるＩＣカードのカードコネクタからの排出時、ＩＣカードが勢い余ってカードコネクタから飛び出してしまう恐れが生じた。
【０００３】
そこで、カードコネクタは、このようなＩＣカードのカードコネクタからの飛び出しを防止するために、特許文献１に示されるようなカード飛出し防止機構を備えるようにさらに工夫されている。特許文献１に開示されるカード飛出し防止機構は、プッシュ・プッシュタイプのイジェクト機構を構成するイジェクト部材に爪部が形成されている。また、イジェクト部材の爪部をカード収容空間側（カードコネクタ内側）に向けて付勢する板バネが、カードコネクタを構成するカバー部材から切り起こされている。さらに、イジェクト部材は、カードコネクタを構成するベース部材に、摺動自在且つ回動自在に取り付けられている。
【０００４】
このように構成されているカード飛出し機構は、以下のように動作する。ＩＣカードがカードコネクタに装着されると、ＩＣカードの側辺部に設けられている凹部に、イジェクト部材の爪部が係合される。このことにより、ＩＣカードの装着時におけるカードコネクタからの不用意な抜けが防止される。ＩＣカード排出時、ＩＣカードを押し込むことでカード排出機構を駆動し、それによりカード排出動作が実行される。ＩＣカードの排出動作終了時、ＩＣカードは、ＩＣカードの凹部にイジェクト部材の爪部が係合しているので、カードコネクタ内にその一部が依然として残った状態で一旦停止する。すなわち、ＩＣカードは、カードコネクタからいっきに飛び出すことがない。この状態から、ＩＣカードのカードコネクタから押し出されている部分を把持してＩＣカードをカードコネクタから引き出す。この時、イジェクト部材が回動可能状態にあり、ＩＣカードの凹部とイジェクト部材の爪部との係合が解除される。この時、イジェクト部材が板バネでカード収容空間側に付勢されていることで、凹部と爪部の係合解除に若干の抵抗があり、したがって、使用者にＩＣカードの引き出しを意識させる。このようにして、ＩＣカードは、カードコネクタから確実取り出され得る。
【０００５】
【特許文献１】特開２００５−３０１９８３号公報
【発明の開示】
【発明が解決しようとする課題】
【０００６】
ところで、従来のカードコネクタにおいては、イジェクタと部材は、カードコネクタを構成するカバー部材から切り起こされた板バネによりカード収容空間側に向けて常に付勢されている。したがって、ＩＣカードをカードコネクタに装着する時にも、板バネのイジェクト部材への押圧力（付勢力）は、ＩＣカードの凹部とイジェクト部材の爪部を係合させるために若干の力を必要とする。さらに、該板バネの押圧力は、イジェクト部材とともにＩＣカードを押し込むとき、イジェクト部材の摺動に対するブレーキ力として作用し、ＩＣカード装着操作に影響を与える。
【０００７】
また、設計上、イジェクト部材の摺動時、板バネの押圧力がゼロとなるように構成すればよいが、カードコネクタ製造時精密さを要求され、時間及びコストがかかる。これを避けるために、組み立てられたとき、板バネがイジェクト部材をカード収容空間側に押圧することを許容するように、該板バネはカバー部材から切り起こされる。この場合、カバー部材をベース部材に組み込むとき、カバー部材に形成されている板バネがイジェクト部材に当たらないように、工夫する必要があり、この場合も、製造時間及びコストがかかることになる。
【０００８】
本発明の目的は、このような問題点に鑑み、構造が簡単であるにも拘らず、カード飛出し防止機能を従来のもの以上に向上させ、且つ製造が容易であるカード飛出し防止機構を備えるカードコネクタを提供することにある。
【課題を解決するための手段】
【０００９】
上記目的を達成するため、本発明のカードコネクタは、カバー部材と、該カバー部材とともにＩＣカードが装着されるカード収容空間を形成するベース部材であって、その底壁から上方に突出する小突起を有するベース部材と、装着されたＩＣカードを取り外すためのカード排出機構を構成し、前記ベース部材上を前後方向に移動可能なイジェクト部材であって、装着されるＩＣカードに設けられた切欠凹部に係合可能な爪部及びカード排出動作終了時に前記小突起を収容する細長い切欠溝を有し、前記カード排出動作終了時に回転可能に形成されているイジェクト部材とを備え、前記小突起と前記切欠溝それぞれに、前記イジェクト部材が回転するとき当接する傾斜面が形成されていることを特徴とする。
【００１０】
また、前記小突起及び前記切欠溝それぞれに形成される前記傾斜面は、水平面に対して３０度から６０度の範囲内にある角度をなしていることが好ましい。
【発明の効果】
【００１１】
本発明は、イジェクト動作完了時に、イジェクト部材の切欠溝内にベース部材の小突起が収容されることで、ＩＣカードの切欠凹部からイジェクト部材の爪部を離脱させるべくイジェクト部材を回転させる動作に抵抗を与える。それにより、イジェクト機構によるＩＣカード排出動作で与えられる慣性でＩＣカードの切欠凹部からイジェクト部材の爪部が容易に離脱することを妨げる。すなわち、ＩＣカードのカードコネクタからの飛び出し防止を従来のものと比べてより一層確実なものとする。
【００１２】
また、構造が簡単であり製造工程も少なくて済むので、組立が容易であり、製造時間を短縮し、製造コストを低下させる。
【発明を実施するための最良の形態】
【００１３】
以下、本発明に係るカードコネクタの好ましい実施態様について図面を参照しながら説明する。
【００１４】
図１は、本発明に係るカードコネクタを示し、（ａ）は、カバー部材が取り除かれた状態のカードコネクタの上面図であり、（ｂ）は、カバー部材の上面図である。図２は、ＩＣカードが装着された状態におけるカードコネクタの上面図である。図３は、ＩＣカードのイジェクト動作開始時におけるカードコネクタを示し、（ａ）は、カバー部材が取り除かれた状態のカードコネクタの上面図であり、（ｂ）は、図３（ａ）のＩ−Ｉ線に沿う概略部分拡大断面図である。図４は、ＩＣカードのイジェクト動作完了時におけるカードコネクタを示し、（ａ）は、カバー部材が取り除かれた状態のカードコネクタの上面図であり、（ｂ）は、図４（ａ）のＩＩ−ＩＩ線に沿う概略部分拡大断面図である。図５は、図４（ａ）に示されるイジェクト動作完了時におけるカードコネクタを裏面から見た概略図である。図６は、ＩＣカード引き抜き時におけるカードコネクタを示し、（ａ）は、カバー部材が取り除かれた状態のカードコネクタの上面図であり、（ｂ）は、図６（ａ）のＩＩＩ−ＩＩＩ線に沿う概略部分拡大断面図である。図７は、図４（ｂ）の状態におけるイジェクト部材の回動ブレーキ機構を模式的に示す部分拡大断面図である。
【００１５】
なお、本明細書において、用語「前」及び「後」は、図２において、それぞれ、左側及び右側をいい、用語「左」及び「右」は、図２において、それぞれ、上側及び下側をいい、「上」及び「下」は、図２において、それぞれ、表側及び裏側をいう。
【００１６】
図１及び２に示されるように、カードコネクタ１０は、概ね、ベース部材２０、カバー部材３０、複数のコンタクト４８、イジェクト機構５０、及びカード飛出し防止機構７０を備えている。
【００１７】
ベース部材２０は、電気的に絶縁性の合成樹脂から形成されており、左側壁２１、右側壁２２、前方壁２３、及び底壁２５を含み、上方及び後方は、開放されている。ベース部材２０の上方は、後述するカバー部材３０と重ね合わせることにより塞がれるが、後方は、開放されたままであり、ＩＣカード１００が挿入されるカード挿入口２４を形成する。すなわち、ベース部材２０は、カバー部材３０と重ね合わされることで、ＩＣカード１００を収容するカード収容空間を形成する。ベース部材２０の右側壁２２の後方部は、段部２２ａを介してカード収容空間側に突出するように幅広に形成されている。
【００１８】
また、ベース部材２０の底壁２５には、複数のコンタクト４０各々を固定するために、複数の溝部２７が、前後方向に互いに平行に形成されている。ベース部材２０の底壁２５の、右側壁２２より前方には、その右側壁２２に平行に、第１のガイド孔４１が形成されている。第１のガイド孔４１は、図５に明瞭に示されるように、後述するイジェクト部材５１の第１のピン６１を収容し、イジェクト部材の前後方向の移動を案内する。第１のガイド孔４１は、第１のピン６１の外径より若干大きい幅を有する長円に形成される。
【００１９】
ベース部材２０の底壁２５には、さらに、後述するイジェクト部材５１の切欠溝５８内に出入りする小突起２６が形成されている（図７参照）。該小突起２６は、後述するカード飛出し防止機構７０を構成する。また、ベース部材２０の底壁２５の小突起２６の前方には、右側壁２２に平行に、第２のガイド孔４３が形成されている。第２のガイド孔４３は、図５に明瞭に示されるように、後述するイジェクト部材５１の第２のピン６３を収容し、イジェクト部材の前後方向の移動を案内し、イジェクト部材の回動を可能とする。第２のガイド孔４３は、第２のピン６３の外径より若干大きい幅を有する長円部分４３ａと該長円部分の幅よりも大きい幅を有する長円部分４３ｂとに形成される。第２のピン６３が幅広の長円部分４３ｂにあるとき、第２のピン６３は、図５に示されるように、該図５において下方に移動可能となっており、それにより、イジェクト部材５１は、回転可能となる。なお、図１（ａ）において、２８は、ＩＣカード１００が装着されたことを認識するカード認識スイッチである。
【００２０】
カバー部材３０は、金属製であり、カードコネクタ１０の剛性を維持する。カバー部材３０は、天板３１、左側壁３２、右側壁３３、及び前方壁３４を含み、下方及び後方は開放されている。カバー部材３０は、該カバー部材３０がベース部材２０と重ね合わされたとき、板金カバー３０の左側壁３２、右側壁３３、及び前方壁３４は、ベース部材２０の左側壁２１、右側壁２２、前方壁２３を覆うように設計される。なお、３５は、窓すなわち開口であり、３６は、イジェクト機構５０のカムレバー５４を保持するカムレバー押さえ、３７、３８は、挿入されたＩＣカード１００を押圧、支持する板バネである。
【００２１】
複数のコンタクト４８は、従来と同様に、ベース部材２０に設けられた複数の溝部２７それぞれに、各コンタクト４８の固定部が圧入されることで、ベース部材２０に互に平行に固定される。
【００２２】
イジェクト機構５０は、ＩＣカード１００の保持または解放を制御する機構であり、本実施態様におけるイジェクト機構では、従来から良く知られているプッシュ・プッシュ方式の機構を採用している。イジェクト機構５０は、イジェクト部材５１、ハートカム５２、案内溝５３、カムレバー５４、及びコイルバネ５５を含んでいる。
【００２３】
イジェクト部材５１は、ベース部材２０の右側壁２２に沿って、前方壁２３と右側壁２３の段部２２ａとの間で、カードコネクタ１０の前後方向（カード挿入方向及びカード排出方向）に摺動可能に設けられている。イジェクト部材５１は、挿入されるＩＣカード１００の先端部１０１に当接するカード当接部５６、ＩＣカード１００の傾斜肩部１０２に対応する傾斜部５９、及びＩＣカード１００に形成されている略方形状の切欠凹部１０３に係合する爪部５７を含んでいる。カード当接部５６は、イジェクト部材５１の先端部でカード収容空間に向けて突出形成され、上述したようにＩＣカード挿入時に該カード１００の先端部に当接し、ＩＣカードのさらなる挿入に伴い、イジェクト部材を前方に移動させるのに役立つ。爪部５７は、イジェクト部材５１の後端部でカード収容空間に向けて突出形成されており、後述するカード飛び出し防止機構を構成する。
【００２４】
イジェクト部材５１の上面には、ハートカム５２、該ハートカム５２を取り囲むように形成された案内溝５３が形成されている。案内溝５３内には、カムレバー５４の前端に形成される脚部が嵌合し、該案内溝５３に沿って移動する。
【００２５】
イジェクト部材５１の下面前方には、コイルバネ５５が収容され得るドーム状溝（不図示）が形成されている。該ドーム状溝は、前方及び下方が開放されており、後方及び上方は、壁で塞がれている。コイルバネ５５は、一端がベース部材２０の前方壁２３に支持され、他端は、イジェクト部材５１のドーム状溝の後方壁に固定されている。イジェクト部材５１の下面後方には、後方及びか方に向けて開放される切欠溝５８が設けられている。該切欠溝５８は、後述するカード飛出し防止機構７０を構成する。
【００２６】
さらに、イジェクト部材５１のカード当接面５６の近傍下面側には、第１のピン６１が形成され（図５参照）、ベース部材２０の第１のガイド孔４１に収容される。また、イジェクト部材５１の下面であって切欠溝５８の前方には、第２のピン６３が形成され（図５参照）、ベース部材２０の第２のガイド孔４３に収容される。これら構成を備えることで、イジェクト部材５１は、前後方向に円滑に移動することができる。さらに、イジェクト部材５１は、コイルバネ５５が十分に伸びきったとき、すなわち、イジェクト動作終了時、上記第１のピン６１を回転中心として回動可能に設計されている（図４（ａ）及び図５（ａ）参照）。
【００２７】
カムレバー５４は、前後端に脚部を有する略逆Ｕ字形をなしており、前端に形成された脚部は、案内溝５３に移動自在に嵌合し、後端に形成された脚部は、ベース部材２０の右側壁２２の段部２２ａ後方で、該右側壁２２に回動自在に支持されている。該カムレバー５４は、組み立てられたとき、カバー部材３０の天板３１に形成されたカムレバー押さえ３６により抜け落ちを防止されている。
【００２８】
コイルバネ５５は、常時、イジェクト部材５１をカード挿入口２４に向けて付勢している。それにより、イジェクト部材５１は、ＩＣカードが装着されていないときは、バース部材２０の段部２２ａに押し付けられた状態を維持する。
【００２９】
次に、本発明に係るカード飛出し防止機構７０の構造について説明する。該カード飛出し防止機構７０は、イジェクト機構５０を構成するイジェクト部材５１を含んでいる。すなわち、カード飛出し防止機構７０は、回動可能に形成されているイジェクト部材５１、該イジェクト部材５１後方部に設けられている爪部５７、同じくイジェクト部材５１の下面後方に設けられている切欠溝５８を含んでいる。カード飛出し防止機構７０は、イジェクト部材の切欠溝５８に対応してベース部材２０に設けられている小突起２６をさらに含んでいる。
【００３０】
カード飛出し防止機構７０は、イジェクト部材５１の爪部５７とＩＣカード１００の切欠凹部１０３に係合することで、ＩＣカード１００のカードコネクタ１０からの抜けおよびＩＣカード１００の排出時における該ＩＣカードの飛び出しを防止する。また、イジェクト動作完了時に、イジェクト部材５１の切欠溝５８内にベース部材２０の小突起２６が存在することで、ＩＣカード１００の切欠凹部１０３からイジェクト部材５１の爪部２６を離脱させるべくイジェクト部材５１を回転させる動作に抵抗を与える。それにより、イジェクト機構５０によるＩＣカード排出動作で与えられる慣性でＩＣカード１００の切欠凹部１０３からイジェクト部材５１の爪部５７が容易に離脱することを妨げる。すなわち、ＩＣカード１００のカードコネクタ１０からの飛び出し防止をより一層確実なものとする。
【００３１】
イジェクト部材５１の爪部５７は、上述したように、イジェクト部材５１の後端部でカード収容空間に向けて突出形成されている。イジェクト部材５１の爪部５７は、ＩＣカード１００の切欠凹部１０３へ係合し、あるいは、該切欠凹部１０３から離脱する。イジェクト部材５１の爪部５７は、ＩＣカード１００の切欠凹部１０３へ係合し、あるいは切欠凹部１０３から離脱することを可能とするため、前後方向に傾斜面を有する、すなわち、上から見て概略三角形状をなしていることが好ましい。
【００３２】
ベース部材２０に設けられている小突起２６は、図７に詳細に示されるように、上から見て概略細長い長円状をなしており、底壁２５から上方に突出している。小突起２６の相対向する側壁２６Ａ、２６Ｂの上方先端部は、傾斜面２６ａ、２６ｂが形成されている。すなわち、小突起の相対向する２つの側面２６Ａ、２６Ｂの上方先端部は、上方に行くに従い漸次狭まるように形成される。
【００３３】
上記小突起２６に対応してイジェクト部材５１に設けられている切欠溝５８は、図７に詳細に示されるように、イジェクト部材５１の下面後方に設けられ、後方及び下方に向けて開放されている細長い溝であり、相対向する側面５８Ａ、５８Ｂを備えている。側面５８Ａ、５８Ｂは、イジェクト部材５１の下面に向かって広がる傾斜面５８ａ、５８ｂが形成されている。
【００３４】
切欠溝５８の幅、すなわち相対向する側面５８Ａ、５８Ｂの間隔は、小突起２６の幅、すなわち相対向する側面２６Ａ、２６Ｂの間隔より若干大きい。また、切欠溝５８の相対向する側面５８Ａ、５８Ｂそれぞれの傾斜面５８ａ、５８ｂのイジェクト部材５１の下面からの高さは、小突起２６の相対向する側面２６Ａ、２６Ｂのベース部材２の底壁２５上面からの高さに等しいかそれよりも若干低く設定され得る。この場合、ＩＣカード１００をカードコネクタ１０から引き出す際に、カバー部材３０の板バネ３７、３８によりＩＣカード１００が厚さ方向に対して若干斜めになる。そのため、イジェクト部材５１の上方向への力が発生し、それにより、切欠溝５８の傾斜面５８ａ、５８ｂが対応する小突起２６の傾斜面２６ａ、２６ｂ上に乗り上げることが可能となる。さらに、切欠溝５８の傾斜面５８ａ、５８ｂそれぞれとベース部材２０に形成されている小突起２６の傾斜面２６ａ、２６ａそれぞれは、水平面に対して略同じ角度を有し、該角度は、３０°〜６０°の間にあることが好ましい。該角度が３０°以下であると、傾斜面同士（５８ａと２６ａ）の干渉が弱くなり、イジェクト部材５１が容易に回動し、ＩＣカード１００が飛び出す恐れがある。また、角度が６０°以上になると、傾斜面同士（５８ａと２６ａ）の干渉が強くなり、ＩＣカード１００を引き抜くときイジェクタ部材５１またはベース部材２０が破損する恐れがある。
【００３５】
なお、小突起２６及び切欠溝５８は、上記したとおりの構造に限られるものではなく、例えば、傾斜面のみでそれぞれの相対向する側面は形成されていなくてもよい。また、小突起２６は、細長い長円状としているが、円柱状または円錐状であってもよい。
【００３６】
カード飛出し防止機構７０を構成する構成部品は、上述の通り、従来のカードコネクタが備える構成部品を利用しており、したがって、従来の構成部品を製造するとき同時に形成することができ、製造工程が増大することもなく、また、構造が簡単であるから組立も容易であり、全体として従来のカードコネクタよりも製造時間が減少し、製造コストも低下する。
【００３７】
以上説明したような構成を備えるカードコネクタ１０から、該カードコネクタ１０に装着されているＩＣカード１００を取り外す動作について、図３ないし６を参照して以下に詳細に述べる。
【００３８】
図３（ａ）には、カードコネクタ１０にＩＣカード１００が装着されている状態が示されている。図３（ａ）に示される状態においては、ＩＣカード１００の先端部１０１は、前方壁２３の近傍に位置しており、カード認識スイッチ２８はオン状態になっている。ＩＣカード１００の外部接点としての複数のパッド（不図示）は、対応するコンタクト４０それぞれに電気的に接続されている。また、イジェクト機構５０を構成するイジェクト部材５１は、カード当接部５６にＩＣカード１００の先端部１０１が当接することで、ＩＣカード１００の挿入動作に従い、そのコイルスプリング５５の付勢力に抗して前方に押し込まれ、前方壁２３近傍に到達している。同じくイジェクト機構５０を構成するカムレバー５４の前端に設けられた脚部は、ハードカム５２の凹部に係合しており、それにより、イジェクト部材５１は、この位置を保持される。さらに、カード飛出し防止機構７０を構成するイジェクト部材５１の爪部５７は、ＩＣカード１００の切欠凹部１０３に係合している。したがって、ＩＣカード１００は図３（ａ）に示される位置を保持される。また、カード飛出し防止機構７０を構成するベース部材２０に設けられた小突起２６は、図３（ａ）、（ｂ）に示されるように、イジェクト部材５１に設けられた細長い切欠溝５８内から抜け出ており、該切欠溝５８内に位置していない。
【００３９】
次に、図３（ａ）の状態において、ＩＣカード１００を前方にいっぱいに押し込む。それにより、イジェクト部材５１も前方に移動する。したがって、カムレバー５４の前端に設けられている脚部は、案内溝５３に案内されてハートカム５２の凹部との係合が解除される。直後に、ＩＣカード１００への押し込みを解除すると、イジェクト部材５１は、コイルバネ５５の付勢力により、図４（ａ）に示される当初位置に向かって移動する。最終的にイジェクト部材５１は、当初位置であるイジェクト部材５１の後端がベース部材２０の右側壁２２の段部２２ａに当接する位置にまで戻され、イジェクト動作を完了する。この時、イジェクト部材５１は、上述したように、第１のピン６１を回転中心とする回動自在の状態にある（さらに、図５参照）。
【００４０】
同時に、ＩＣカード１００もイジェクト部材５１のカード当接部５６を介して図４（ａ）に示される中間位置（ＩＣカード１００の長さの後方約半分がカード挿入口２４から後方に突出する位置）まで戻される。しかしながら、ＩＣカード１００の切欠凹部１０３にイジェクト部材５１の爪部５７が係合しているため、ＩＣカード１００は、ブレーキがかけられこの中間位置で一端停止する。したがって、ＩＣカード１００は、慣性力によりカード挿入口２４から飛び出すことはない。仮に、ＩＣカード１００に与えられる慣性力が大きくても、後述するブレーキ力がさらに作用することにより、ＩＣカード１００は、確実にこの位置でいっぱし一旦停止する。
【００４１】
図４（ａ）の状態において、イジェクト部材５１が当初位置に戻ることで、図４（ｂ）に示されるように、小突起２６は、イジェクト部材５１の細長い切欠溝５８内に位置している。
【００４２】
図４（ａ）に示されるような停止した状態にあるＩＣカード１００を、例えば、ＩＣカード１００の後端部を指先で摘んで後、該ＩＣカード１００をカードコネクタ１０から引き出す。この時、イジェクト部材５１の爪部５７の前方が傾斜面として形成されているので、ＩＣカード１００の後方への引っ張り力が、イジェクト部材５１をコイルバネ５５の他端を回転中心として時計回りに回転させる力として作用する。それにより、図６（ａ）に示されるように、イジェクト部材５１の爪部５７は、ＩＣカード１００の切欠凹部１０３から離脱することが可能となる。
【００４３】
ところで、図６（ｂ）に示されるように、イジェクト部材５１の細長い切欠溝５８内にあるベース部材２０の小突起２６は、イジェクト部材５１の回転により、細長い切欠溝５８に当接し、イジェクト部材５１の回転に干渉する。より詳細には、イジェクト部材５１の時計回りの回転により、小突起２６の側面２６Ａに切欠溝５８の側面５８Ａが当接し、さらに、側面２６Ａの傾斜面２６ａ上に側面５８Ａの傾斜面５８ａが乗り上げることで、イジェクト部材５１の回転にブレーキをかける。それにより、イジェクト部材５１の爪部５７がＩＣカード１００の切欠凹部１０３から簡単に離脱することを妨げる。
【００４４】
このように、カード飛出し防止機構７０が構成されていることで、ＩＣカード１００がイジェクト機構５０により与えられる慣性力で簡単にカードコネクタ１０から飛び出すことを防止する。さらに、カードコネクタ１０からＩＣカード１００を使用者に意識して引き抜かせることで、ＩＣカード１００を確実にカードコネクタから取り出すことを可能とする。
【００４５】
図６（ａ）に示される状態から、ＩＣカード１００が完全にカードコネクタから取り出されたとき、イジェクト部材５１は、小突起２６上に乗り上げた状態を維持している。したがって、次に、ＩＣカード１００を装着するとき、カード挿入口２４から挿入されるＩＣカード１００は、該ＩＣカード１００の先端部１０１がイジェクト部材５１のカード当接部５６に当接するまで、容易に挿入することができる。そして、ＩＣカード１００の先端部１０１がカード当接部５６に当接し、該カード当接部５６が押されることで、イジェクト部材５１は、第１のピン６１を回転中心として反時計回りに回転する。それにより、イジェクト部材５１の爪部５７は、挿入されたＩＣカード１００の切欠凹部１０３に係合する。続いて、ＩＣカード１００をイジェクト部材５１とともにコイルバネ５５の付勢力に抗してカード収容空間内に押し込み、図３（ａ）に示される状態に持っていくことで、ＩＣカード１００の装着が完了する。
【図面の簡単な説明】
【００４６】
【図１】本発明に係るカードコネクタを示し、（ａ）は、カバー部材が取り除かれた状態のカードコネクタの上面図であり、（ｂ）は、カバー部材の上面図である。
【図２】ＩＣカードが装着された状態におけるカードコネクタの上面図である。
【図３】ＩＣカードのイジェクト動作開始時におけるカードコネクタを示し、（ａ）は、カバー部材が取り除かれた状態のカードコネクタの上面図であり、（ｂ）は、図３（ａ）のＩ−Ｉ線に沿う概略部分拡大断面図である。
【図４】ＩＣカードのイジェクト動作完了時におけるカードコネクタを示し、（ａ）は、カバー部材が取り除かれた状態のカードコネクタの上面図であり、（ｂ）は、図４（ａ）のＩＩ−ＩＩ線に沿う概略部分拡大断面図である。
【図５】図４（ａ）に示されるイジェクト動作完了時におけるカードコネクタを裏面から見た概略図である。
【図６】ＩＣカード引き抜き時におけるカードコネクタを示し、（ａ）は、カバー部材が取り除かれた状態のカードコネクタの上面図であり、（ｂ）は、図６（ａ）のＩＩＩ−ＩＩＩ線に沿う概略部分拡大断面図である。
【図７】図４（ｂ）の状態におけるイジェクト部材の回動ブレーキ機構を模式的に示す部分拡大断面図である。
【符号の説明】
【００４７】
１０              カードコネクタ
２０              ベース部材
２６              小突起
２６ａ、２６ｂ    傾斜面
３０              カバー部材
４８              コンタクト
５０              イジェクト機構
５１              イジェクト部材
５７              爪部
５８              切欠溝
５８ａ、５８ｂ    傾斜面
７０              カード飛出し防止機構
１００            ＩＣカード
１０３            切欠凹部
【図１】
2007280728.tif 000003
【図２】
2007280728.tif 000004
【図３】
2007280728.tif 000005
【図４】
2007280728.tif 000006
【図５】
2007280728.tif 000007
【図６】
2007280728.tif 000008
【図７】
2007280728.tif 000009